(57)【要約】【課題】本発明は、内部に収納した接着剤を漏出させることなく持ち運びすることができる接着剤容器に関する。【解決手段】本発明の接着剤容器Ａは、指を広げて上方から掴持し得る大きさの円柱状容器本体１の周壁部２外面に、指先を係止させるための係止溝６を形成しているので、容器本体１に上方から指を広げた状態で被せて五本の指先を係止溝６に係止させることによって接着剤容器Ａを上方から安定的に直接、掴持することができ、よって、接着剤容器Ａを大きく揺らすことなく安定した状態を保持しつつ所望場所に持ち運びすることができる。【選択図】    図１
2004168357.tif 000002
【特許請求の範囲】
【請求項１】
指を広げて上方から掴持し得る大きさの円柱状容器本体の周壁部外面に、指先を係止させるための係止溝を形成していることを特徴とする接着剤容器。
【請求項２】
係止溝を周壁部外面の全周に亘って形成していることを特徴とする請求項１に記載の接着剤容器。
【請求項３】
容器本体の天板部の偏心部分に、該容器本体内の接着剤を取り出すための円筒状の取出口部を外方に向かって突設し、この取出口部の外周面に雄螺子部が形成されていると共に、上記取出口部を開閉自在に閉止する蓋体の内周面に上記雄螺子部に螺合可能な雌螺子部が形成されていることを特徴とする請求項１又は請求項２に記載の接着剤容器。
【発明の詳細な説明】
【０００１】
【発明の属する技術分野】
本発明は、内部に収納した接着剤を漏出させることなく持ち運びすることができる接着剤容器に関する。
【０００２】
【従来の技術】
従来から、接着剤は円柱状の接着剤容器内に収納されており、このような接着剤容器としては、特許文献１に示したように、円柱状容器本体の周壁部外面の上端対向部に逆Ｕ字状の把手体の両下端部を回動自在に枢着一体化させてなるものが用いられている。
【０００３】
しかしながら、上記接着剤容器は、その容器本体の周壁部外面に把手体が回動自在に取り付けられていることから、把手体を手で把持して接着剤容器を持ち運びすると、腕の前後方向の振りに伴って、容器本体が慣性力によって把手体の両下端部との接続部分を中心にして腕の振り以上に前後方向に大きく揺られ、容器本体の接着剤の取出口が蓋体によって完全に閉止されていない時には、容器本体の取出口から接着剤が漏出してしまうことがあるといった問題点があった。
【０００４】
そして、上記のように、接着剤容器の取出口から接着剤が漏出してしまうと、接着剤を完全に除去することができないことが多く、この状態のままで容器本体の取出口を蓋体で閉止すると、接着剤によって容器本体と蓋体とが接着されてしまって蓋体が容器本体から取れないといった問題も生じていた。
【０００５】
【発明が解決しようとする課題】
本発明は、たとえ接着剤の取出口の閉止が不十分な場合にあっても持ち運びする際に接着剤が取出口から漏出することのない接着剤容器を提供する。
【０００６】
【課題を解決するための手段】
請求項１に記載の接着剤容器は、指を広げて上方から掴持し得る大きさの円柱状容器本体の周壁部外面に、指先を係止させるための係止溝を形成していることを特徴とする。
【０００７】
又、請求項２に記載の接着剤容器は、請求項１に記載の接着剤容器において、係止溝を周壁部外面の全周に亘って形成していることを特徴とする。
【０００８】
更に、請求項３に記載の接着剤容器は、請求項１又は請求項２に記載の接着剤容器において、容器本体の天板部の偏心部分に、該容器本体内の接着剤を取り出すための円筒状の取出口部を外方に向かって突設し、この取出口部の外周面に雄螺子部が形成されていると共に、上記取出口部を開閉自在に閉止する蓋体の内周面に上記雄螺子部に螺合可能な雌螺子部が形成されていることを特徴とする。
【０００９】
【作用】
本発明の接着剤容器は、指を広げて上方から掴持し得る大きさの円柱状容器本体の周壁部外面に、指先を係止させるための係止溝を形成しており、この接着剤容器を持ち運びするには、指を広げた状態で掌を容器本体に上方から被せ、五本の指先を係止溝に係止させた状態に掴持する。
【００１０】
そして、接着剤容器を掴持した方の腕は、歩行に伴って下方に伸ばした状態で前後方向に振られるが、手で容器本体を直接、掴持していることから、腕の振り以上に大きく揺れることはなく、腕の振りと同程度の僅かな揺れしか接着剤容器には伝わらず、接着剤容器は前後方向に大きく揺れるといったことはない。
【００１１】
しかも、上記のように、接着剤容器は、上方から手で掴持された状態であることから、腕を余程大きく振らない限り、接着剤容器の取出口は上方を向いた状態を確実に維持する。
【００１２】
従って、たとえ接着剤容器の取出口の蓋体による閉止が不十分な場合にあっても、接着剤容器内から接着剤が不測に漏出するといったことは殆どない。
【００１３】
更に、本発明の接着剤容器は、その容器本体の周壁部外面に係止溝を形成しており、従来の上記接着剤容器のように、容器本体に逆Ｕ字状の把手体を取り付ける必要はなく、接着剤容器全体の容積をコンパクトなものとして、接着剤容器の保管場所の節約を図ることができる。
【００１４】
【発明の実施の形態】
本発明の接着剤容器の一例を図面を参照しつつ説明する。接着剤容器Ａの容器本体１は、図１乃至図５に示したように、一定高さを有する円筒状の周壁部２の上側開口端を平面真円形状の天板部３で、下側開口端を天板部３と同一形状、同一大きさの平面真円形状の底板部４で全面的に水密的に閉止することによって形成されており、周壁部２、天板部３及び底板部４とで囲まれた空間部を接着剤収納部１ａに形成している。
【００１５】
そして、上記容器本体１の天板部３には、図６及び図７に示したように、その中心から偏った（ずれた）部分、即ち、偏心部分を上方に向かって膨出させることによって、上端が内外方向に開口３１ａ  し且つ一定高さを有する円筒状の取出口部３１が外方に向かって突設され、この取出口部３１の外周面には雄螺子部３１ｂ  が形成されている。
【００１６】
更に、上記取出口部３１には、その上端開口部３１ａ  を開閉自在に閉止する蓋体５が配設されている。この蓋体５は、上記取出口部３１の外径よりも若干大きな大きさを有する平面円形状の天板部５１とこの天板部５１の外周縁から下方に向かって延設され且つ上記取出口部３１の高さよりも若干高い一定高さを有する周壁部５２とからなり、この周壁部５２内面には上記取出口部３１の雄螺子部３１ｂ  に螺合可能な雌螺子部５２ａ  が形成されている。なお、蓋体５の天板部５１の下面中央部には、容器本体１の接着剤収納部１ａ内の接着剤を所望箇所に塗布するための刷毛５１ａ  が下方に向かって一体的に設けられている。
【００１７】
又、上記容器本体１の周壁部２外面における該周壁部２の上端から下方に所定間隔を存した部分には、その全周に亘って指先が係止可能な断面凹円弧状の一定上下幅を有する係止溝６が水平方向に凹設されている。
【００１８】
そして、上記係止溝６の上側周縁部６１は、その全周に亘って概ね角張らせた状態に形成されてあり、係止溝６に係止させた指先が係止溝６から不測に滑らないように構成されている。
【００１９】
更に、指を広げた状態で掌を容器本体１に上方から被せ、五本の指先を係止溝６に係止させた状態にして接着剤容器Ａを掴持すると、指を除いた掌の略中央部が、容器本体１の天板部３に偏心状態で形成された取出口部３１を完全に閉止した状態の蓋体５の天板部５１上面に当接し或いは僅かに接触するか否かの状態となるように構成されている。
【００２０】
次に、上記接着剤容器Ａの使用要領について説明する。上記接着剤容器Ａを持ち運ぶにあたっては、接着剤容器Ａ内の接着剤を使用していた時は接着剤容器Ａの取出口部３１の開口部３１ａ  を蓋体５で完全に閉止した上で、指を拡げた状態で掌を容器本体１に上方から被せ、拡げた５本の指先の全てを、隣接する指先同士が水平方向に適宜間隔を存した状態に、接着剤容器Ａの係止溝６に係止させた状態に掴持する。
【００２１】
この時、蓋体５で容器本体１の取出口部３１を完全に閉止した状態、即ち、容器本体１の取出口部３１の雄螺子部３１ｂ  に蓋体５の雌螺子部５２ａ  を完全に螺合させた状態では、指を除いた掌の略中央部が、蓋体５の天板部５１の上面に当接し或いは僅かに接触するか否かの状態に構成されている一方、接着剤容器Ａの取出口部３１の蓋体５による閉止が完全でない場合には、取出口部３１を蓋体５により完全に閉止している状態に比較して、蓋体５の天板部５１の上面が上方に位置した状態となっている。
【００２２】
従って、上述のように、接着剤容器Ａを上方から掴持した場合には、掌に蓋体５の天板部５１が必要以上にあたるか、或いは、僅かに掌に接触するか否かの蓋体５の天板部５１が掌に接触する等して、接着剤容器Ａを上方から掴持した瞬間に蓋体５による取出口部３１の閉止が不十分であることが認識でき、接着剤容器Ａの取出口部３１を蓋体５で必要に応じて完全に閉止した状態にすることができ、よって、接着剤容器Ａの取出口部３１が蓋体５で完全に閉止されていないにもかかわらず完全に閉止されていると誤認してしまう虞れがない。
【００２３】
そして、所望場所に移動するが、図８に示したように、接着剤容器Ａを掴持した方の腕は下方に伸ばした状態となっており、しかも、上述のように、接着剤容器Ａはその容器本体１が上方から直接、掴持された状態となっていることから、歩行に伴って腕が前後方向に振られたとしても、腕の前後方向の振り以上に接着剤容器Ａが前後方向に振られることはなく、接着剤容器Ａの取出口部３１は上方を向いた状態を維持し、粘着剤が適度な粘度を有していることも相まって、接着剤容器Ａ内の接着剤が、取出口部３１と蓋体５との対向面間に接着剤が流入して外部に漏出したり或いは取出口部３１と蓋体５が両者の対向面間に流入した接着剤によって接着一体化されてしまうといった不測の事態は発生しない。
【００２４】
又、接着剤容器Ａの取出口部３１が蓋体５によって完全に閉止されていないことが、接着剤容器Ａの掴持時に認識された場合にあっても、すぐに接着剤容器Ａ内の接着剤を使用する時は、次の接着剤の使用時の手間を省くために、接着剤容器Ａの取出口部３１の蓋体５による不完全な閉止状態を維持したまま移動することがあるが、このような場合にあっても、上述のように、接着剤容器Ａの取出口部３１は上方を向いた状態を維持していると共に、接着剤容器Ａの取出口部３１の蓋体５による閉止が不完全なことを認識していることから、腕の振りを抑制する等、必要な注意を確実に払うことができ、よって、接着剤容器Ａをその内部の接着剤を外部に漏出させることなく所望場所に移動させることができる。
【００２５】
そして、図９に示したように、接着剤容器Ａには把手体のような付属物がついていないことから、多数の接着剤容器Ａを互いに密接させたコンパクトな状態に保管することができると共に、このように密接させて保管された多数の接着剤容器Ａから所望の接着剤容器Ａのみを上方から安定的に掴持して簡単に引き上げて取り出すことができる。
【００２６】
【発明の効果】
請求項１に記載の接着剤容器は、指を広げて上方から掴持し得る大きさの円柱状容器本体の周壁部外面に、指先を係止させるための係止溝を形成していることを特徴とするので、容器本体に上方から指を広げた状態で掌を被せて五本の指先を係止溝に係止させることによって接着剤容器を上方から安定的に直接、掴持することができ、よって、接着剤容器を大きく揺らすことなく安定した状態を保持しつつ所望場所に持ち運びすることができる。
【００２７】
又、請求項２に記載の接着剤容器は、請求項１に記載の接着剤容器において、係止溝を周壁部外面の全周に亘って形成していることを特徴とするので、容器本体に上方から掌を被せ、５本の指先をそれらの位置を気にすることなく係止溝に係止させて容器本体を上方から確実に掴持することができる。
【００２８】
更に、請求項３に記載の接着剤容器は、請求項１又は請求項２に記載の接着剤容器において、容器本体の天板部の偏心部分に、該容器本体内の接着剤を取り出すための円筒状の取出口部を外方に向かって突設し、この取出口部の外周面に雄螺子部が形成されていると共に、上記取出口部を開閉自在に閉止する蓋体の内周面に上記雄螺子部に螺合可能な雌螺子部が形成されていることを特徴とするので、容器本体を掴持した時、指を除いた掌部分が容器本体の取出口部を閉止している蓋体に対向した状態となって、容器本体の取出口部が蓋体によって完全に閉止されているか否かを、掌に蓋体が接触するか否か或いは接触する度合いから直ちに認識することができ、よって、容器本体の取出口部が蓋体により完全に閉止されていないにもかかわらずに完全に閉止されていると誤認する等の不測の事態を防止することができる。
【図面の簡単な説明】
【図１】本発明の接着剤容器を示した斜視図である。
【図２】図１の接着剤容器を示した正面図（背面図）である。
【図３】図１の接着剤容器を示した左側面図である。
【図４】図１の接着剤容器を示した平面図である。
【図５】図１の接着剤容器を示した底面図である。
【図６】図４のＶＩ−ＶＩ  線断面図である。
【図７】接着剤容器の取出口部から蓋体を取り外した状態を示した斜視図である。
【図８】図１の接着剤容器を上方から掴持した状態を示した側面図である。
【図９】多数の接着剤容器から所望の接着剤容器を取り出す際の要領を示した斜視図である。
【符号の説明】
１  容器本体
２  周壁部
３  天板部
３１  取出口部
４  底板部
５  蓋体
６  係止溝
【図１】
2004168357.tif 000003
【図２】
2004168357.tif 000004
【図３】
2004168357.tif 000005
【図４】
2004168357.tif 000006
【図５】
2004168357.tif 000007
【図６】
2004168357.tif 000008
【図７】
2004168357.tif 000009
【図８】
2004168357.tif 000010
【図９】
2004168357.tif 000011